(57)【要約】【課題】  販売する際に花卉に添えることが容易であり、かつ花卉の見栄えを損なうことのない花卉用の薬剤容器を提供する。【解決手段】  花卉用の薬剤容器１０は、切花活性剤１１が収容される中空の収容部１２と、この収容部１２から下方に伸びるロッド部１３とを有している。この薬剤容器１０を花束Ｆ１に添える際には、薬剤容器１０のロッド部１３を切花の茎に見立てながら薬剤容器１０と切花とが共に束ねられる。このように、花束Ｆ１に薬剤容器１０を容易に添えることが可能となるため、包装時の手間を省くことができ、作業効率を高めてコストを削減することができる。しかも、従来のように、包装スリーブ１９に切花活性剤１１のパックを貼り付ける必要が無いため、粘着テープ等によって花束Ｆ１の見栄えを損なうことがなく、販売促進に寄与することができる。【選択図】  図３
2006103766.tif 000002
【特許請求の範囲】
【請求項１】
花卉供給物を収容する花卉用の供給物容器であって、前記花卉供給物が収容される中空の収容部と、前記収容部から下方に伸びるロッド部とを有することを特徴とする花卉用の供給物容器。
【請求項２】
請求項１記載の花卉用の供給物容器において、花卉に添える際には前記ロッド部が花卉と共に束ねられることを特徴とする花卉用の供給物容器。
【請求項３】
請求項１記載の花卉用の供給物容器において、花卉に添える際には前記ロッド部が樹脂製発泡体に挿されることを特徴とする花卉用の供給物容器。
【請求項４】
請求項１〜３のいずれか１項に記載の花卉用の供給物容器において、前記収容部に対して前記ロッド部を取り外し自在に設け、前記ロッド部を取り外すことによって前記収容部内が開放されることを特徴とする花卉用の供給物容器。
【請求項５】
請求項１〜３のいずれか１項に記載の花卉用の供給物容器において、前記収容部内に連通する内部通路を前記ロッド部に形成し、前記ロッド部を切断することによって前記収容部内が開放されることを特徴とする花卉用の供給物容器。
【請求項６】
請求項１〜５のいずれか１項に記載の花卉用の供給物容器において、前記花卉供給物は、薬剤、水または肥料であることを特徴とする花卉用の供給物容器。
【発明の詳細な説明】
【技術分野】
【０００１】
本発明は、薬剤などの花卉供給物を収容する花卉用の供給物容器に関する。
【背景技術】
【０００２】
切花の鮮度を保持するため、茎を水中に浸した状態で切断したり、茎の切り口を焼いたりすることがある。これらの方法は切花の水揚げを良好にするものであるが、十分な効果を得ることが困難となっていた。そこで、切花を新鮮な状態に保持するため、花器内の水に溶いて使用される切花活性剤が開発されている(たとえば、特許文献１参照)。この切花活性剤には、切花の栄養源となる糖類、殺菌作用を有する有機酸、切花の水揚げを促進する界面活性剤等が含まれており、水の腐敗を防止するとともに切花に十分な栄養を与えることができ、切花の鮮度を維持しながら寿命を延ばすことが可能となる。
【０００３】
このような切花活性剤は、業務用として使用されるだけでなく、花束等の購入者に対するサービスとして渡されることも多い。このようにサービスされる切花活性剤は、一回の使用量毎にパッキングされるとともに、花束等を包装する包装フィルムに貼り付けて提供されることが一般的である。
【特許文献１】特開２０００−１６９３０２号公報
【発明の開示】
【発明が解決しようとする課題】
【０００４】
しかしながら、粘着テープ等を用いて切花活性剤のパックを包装フィルムに貼り付けることは、包装時の作業効率を低下させるとともに、花束等の見栄えを損なう要因となっており、これらを改善することが必要となっていた。特に、贈答用に購入されることが多い花束等にあっては、見栄えを良好に保つことが重要となっている。
【０００５】
本発明の目的は、販売する際に花卉に添えることが容易であり、かつ花卉の見栄えを損なうことのない花卉用の供給物容器を提供することにある。
【課題を解決するための手段】
【０００６】
本発明の花卉用の供給物容器は、花卉供給物を収容する花卉用の供給物容器であって、前記花卉供給物が収容される中空の収容部と、前記収容部から下方に伸びるロッド部とを有することを特徴とする。
【０００７】
本発明の花卉用の供給物容器は、花卉に添える際には前記ロッド部が花卉と共に束ねられることを特徴とする。
【０００８】
本発明の花卉用の供給物容器は、花卉に添える際には前記ロッド部が樹脂製発泡体に挿されることを特徴とする。
【０００９】
本発明の花卉用の供給物容器は、前記収容部に対して前記ロッド部を取り外し自在に設け、前記ロッド部を取り外すことによって前記収容部内が開放されることを特徴とする。
【００１０】
本発明の花卉用の供給物容器は、前記収容部内に連通する内部通路を前記ロッド部に形成し、前記ロッド部を切断することによって前記収容部内が開放されることを特徴とする。
【００１１】
本発明の花卉用の供給物容器は、前記花卉供給物は、薬剤、水または肥料であることを特徴とする。
【発明の効果】
【００１２】
本発明によれば、収容部から下方に伸びるロッド部を設けるようにしたので、ロッド部を花卉の茎に見立てることができ、花卉に供給物容器を添えることが極めて容易となる。これにより、供給物容器を花卉に添える際に、粘着テープ等を用いて貼り付ける必要が無いため、作業者の手間を省くとともにコストを削減することができる。しかも、供給物容器を花卉に添えた場合であっても、花束やアレンジメントの見栄えを損なうことがなく、販売促進に寄与することが可能となる。
【発明を実施するための最良の形態】
【００１３】
以下、本発明の実施の形態を図面に基づいて詳細に説明する。
【００１４】
図１(Ａ)は本発明の一実施の形態である花卉用の供給物容器１０を示す平面図であり、図１(Ｂ)は供給物容器１０を示す側面図である。図２は供給物容器１０の一部を示す断面図であり、図１(Ｂ)の範囲αに相当する部分を示している。図示する供給物容器１０は、花卉供給物としての切花活性剤(薬剤)１１を収容するために使用される容器であり、以下の説明においては供給物容器１０を薬剤容器として説明する。
【００１５】
図１(Ａ)および(Ｂ)に示すように、薬剤容器１０は、ほぼハート形に形成される中空の収容部１２と、この収容部１２の下部に取り付けられるロッド部１３とを有している。貯留室１４を備える収容部１２はブロー成形等によって加工されており、棒状に伸びるロッド部１３は射出成形等によって加工されている。これらの収容部１２やロッド部１３は、それぞれ樹脂材料を用いて形成されており、収容部１２の表面には文字情報が印刷や刻印によって印されている。なお、加工方法としては、ブロー成形や射出成形に限られることはなく、他の方法によって薬剤容器１０を加工しても良い。
【００１６】
図２に示すように、収容部１２の下部には吐出部１５が形成されており、この吐出部１５には貯留室１４に連通する吐出口１６が形成されている。また、吐出部１５には雄ねじ１７が形成される一方、これに結合されるロッド部１３の上端部には雌ねじ１８が形成されている。つまり、ロッド部１３は収容部１２に対して取り外し自在となっており、ロッド部１３は吐出口１６を閉塞する栓として機能するようになっている。
【００１７】
このような収容部１２の貯留室１４には液体の切花活性剤１１が注入されている。この切花活性剤１１は、切花の栄養源となる糖類、殺菌作用を有する有機酸、そして水揚げを促進する界面活性剤等を含んでおり、花器内の水に溶かして使用することにより、水の腐敗を防止するとともに切花に十分な栄養を与え、切花の鮮度を維持しながら寿命を延ばすことができる。なお、切花活性剤１１としては液体に限られることはなく、粉状、顆粒状、またはタブレット状の切花活性剤を貯留室１４に収容しても良い。
【００１８】
続いて、前述した薬剤容器１０を花卉である花束Ｆ１に添える際の手順について説明する。図３(Ａ)は花束Ｆ１の包装過程において薬剤容器１０を添える手順を示す分解斜視図であり、図３(Ｂ)は薬剤容器１０が添えられた花束Ｆ１を示す斜視図である。図３(Ａ)に示すように、薬剤容器１０を花束Ｆ１に添える際には、薬剤容器１０のロッド部１３を切花の茎に見立てて、薬剤容器１０と切花とを共に束ねることにより、花束Ｆ１に薬剤容器１０が添えられるようになっている。そして、薬剤容器１０が添えられた花束Ｆ１を包装スリーブ１９によって包装することにより、花束Ｆ１の包装作業が完了することになる。なお、切花と薬剤容器１０とを共に束ねるようにしているが、切花を束ねて花束Ｆ１とした後に薬剤容器１０のロッド部１３を挿入しても良い。図示するようにロッド部１３の先端はテーパ状に細く形成されるため、花束Ｆ１の上方より薬剤容器１０を挿入する場合であっても、花束Ｆ１を傷つけることなく薬剤容器１０を挿入することが可能となる。
【００１９】
このように、収容部１２から下方に伸びるロッド部１３を設けることにより、ロッド部１３を切花の茎に見立てて結束することができるため、花束Ｆ１に薬剤容器１０を添えることが極めて容易となる。これにより、包装時の手間を省きながら花束Ｆ１に薬剤容器１０を添えることができ、作業効率を高めてコストを削減することができる。しかも、従来のように包装スリーブ１９に切花活性剤１１のパックを貼り付ける必要が無いため、粘着テープ等によって花束Ｆ１の見栄えを損なうことがなく、花束Ｆ１の販売促進に寄与することが可能となる。更には、収容部１２をハート形に形成したり、収容部１２に文字情報を記載したりすることにより、視覚効果を高めるとともに花束Ｆ１の見栄えを向上させることも可能となる。
【００２０】
なお、購入者が薬剤容器１０内の切花活性剤１１を使用する際には、収容部１２にねじ結合されるロッド部１３を取り外した後に、指で収容部１２を押し潰すことによって貯留室１４内の切花活性剤１１を押し出すことになる。薬剤容器１０の収容部１２は弾性を有する樹脂材料によって形成されており、軽い力で収容部１２を押し潰すことが可能となっている。
【００２１】
これまで説明した薬剤容器１０にあっては、収容部１２とロッド部１３とをねじ結合しているが、収容部１２とロッド部１３との連結構造としてはねじ結合に限られることはなく、他の連結構造を採用するようにしても良い。ここで、図４(Ａ)および(Ｂ)は本発明の他の実施の形態である薬剤容器２０，２５の一部を示す断面図である。
【００２２】
図４(Ａ)に示すように、薬剤容器２０にあっては、収容部２１の吐出口２２にロッド部２３の端部を嵌合させるようにしている。この薬剤容器２０から切花活性剤１１を取り出す際には、嵌合されたロッド部２３を引き抜くことにより、収容部２１の吐出口２２が開口されることになる。また、図４(Ｂ)に示すように、薬剤容器２５にあっては、収容部２６とロッド部２７とが一体に形成されており、収容部２６とロッド部２７との境界近傍には切り欠き２８が形成されている。この薬剤容器２５から切花活性剤１１を取り出す際には、切り欠き２８を支点にロッド部２７を折り曲げることにより、ロッド部２７が取り外され収容部２６の吐出口２９が開口されることになる。
【００２３】
また、前述した薬剤容器１０，２０，２５にあっては、収容部１２，２１，２６に対してロッド部１３，２３，２７を取り外し自在に設けているが、これに限られることはなく、収容部とロッド部とを一体に固定しても良い。ここで、図５は本発明の他の実施の形態である薬剤容器３０を示す断面図である。
【００２４】
図５に示すように、この薬剤容器３０にあっては、収容部３１とロッド部３２とが一体に形成されるとともに、ロッド部３２には収容部３１の貯留室３３に連通する内部通路３４が形成されるようになっている。そして、収容部３１内の切花活性剤１１を取り出す際には、内部通路３４が形成されるロッド部３２を切断することによって、ロッド部３２の先端から切花活性剤１１が徐々に流出することになる。
【００２５】
このような薬剤容器３０が添えられる花卉としては、フラワーアレンジメントＦ２(以下、アレンジメントという)が望ましい。ここで、図６(Ａ)および(Ｂ)は、アレンジメントＦ２に薬剤容器３０を添えた状態を示す斜視図である。なお、図６(Ａ)にあっては薬剤容器３０の添え方を説明するため薬剤容器３０のみを図示している。
【００２６】
図６(Ａ)に示すように、アレンジメントＦ２に使用される花器４０には、樹脂材料を発泡させた多孔質の樹脂製発泡体４１が収容されている。図６(Ｂ)に示すように、剣山の代用品として使用される樹脂製発泡体４１には切花の茎が挿し込まれるようになっており、薬剤容器３０にあってもロッド部３２を切花の茎に見立てて樹脂製発泡体４１に挿し込むことにより、アレンジメントＦ２に対して薬剤容器３０を添えることが可能となる。
【００２７】
このように、樹脂製発泡体４１に薬剤容器３０を立てておくことができるため、アレンジメントＦ２の購入者が薬剤容器３０内の切花活性剤１１を使用する際には、薬剤容器３０のロッド部３２を切断した後に、薬剤容器３０を樹脂製発泡体４１に挿し込むことにより、樹脂製発泡体４１に対して切花活性剤１１を徐々に染み出させることが可能となる。つまり、手間をかけることなく、長期に渡って切花活性剤１１を供給し続けることが可能となる。
【００２８】
なお、ロッド部３２に内部通路３４が形成された薬剤容器３０を花束Ｆ１に添えるようにしても良く、前述した薬剤容器１０，２０，２５をアレンジメントＦ２に添えるようにしても良いことは言うまでもない。
【００２９】
これまで説明した薬剤容器１０，２０，２５，３０にあっては、ブロー成形によって樹脂材料を加工することにより収容部１２，２１，２６，３１を形成しているが、切花活性剤１１を収容する収容部をポリエチレン等の樹脂フィルムを用いて形成しても良い。ここで、図７(Ａ)は本発明の他の実施の形態である薬剤容器４５を示す平面図であり、図７(Ｂ)は薬剤容器４５を示す側面図である。なお、図１に示す部材と同様の部材にあっては、同一の符号を付してその説明を省略する。
【００３０】
図７(Ａ)および(Ｂ)に示すように、この薬剤容器４５の収容部４６は、ポリエチレン等の樹脂フィルムを折りたたみ、その外周部４７を溶着することによって中空の袋状に形成されている。このように、樹脂フィルムを用いて収容部４６を形成することにより、収容部４６の表面に文字情報や模様を印刷することが容易となり、花束Ｆ１やアレンジメントＦ２の見栄えを向上させることができる。なお、収容部１２を形成する樹脂フィルムに対してアルミニウムを付着させることにより、遮光性能を向上させて収容部４６に収容される切花活性剤１１の劣化を防止するようにしても良い。
【００３１】
これまで説明した供給物容器１０，２０，２５，３０，４５にあっては、花卉供給物として切花活性剤１１を収容しているが、花卉供給物としては切花活性剤１１に限られることはなく、花卉の種類等に応じて水や肥料を収容するようにしても良い。たとえば、図５に示す供給物容器３０に水を収容することにより、花束Ｆ１やアレンジメントＦ２に水分を供給し続けることができるため、花束Ｆ１やアレンジメントＦ２を販売店から持ち帰る際にも新鮮な状態を維持することが可能となる。
【００３２】
本発明は前記実施の形態に限定されるものではなく、その要旨を逸脱しない範囲で種々変更可能であることはいうまでもない。たとえば、図１に示す供給物容器１０にあっては収容部１２がハート形に形成されており、図７に示す供給物容器４５にあっては収容部４６が長方形に形成されているが、これらの形状に限られることはなく、動植物をモチーフとした形状に形成したり、星形や丸形などの形状に形成したりすることにより、更に視覚効果を高めるようにしても良い。
【００３３】
また、手作業によって花束に加工する場合だけでなく、結束機械を用いて花束を自動的に加工する場合であっても、本発明の供給物容器１０，２０，２５，３０，４５はロッド部１３，２３，２７，３２を備えるため、結束機械によって供給物容器１０，２０，２５，３０，４５を花束に添えることができる。
【図面の簡単な説明】
【００３４】
【図１】(Ａ)は本発明の一実施の形態である花卉用の供給物容器を示す平面図であり、(Ｂ)は供給物容器を示す側面図である。
【図２】供給物容器の一部を示す断面図であり、図１(Ｂ)の範囲αに相当する部分を示している。
【図３】(Ａ)は花束の包装過程において供給物容器を添える手順を示す分解斜視図であり、(Ｂ)は供給物容器が添えられた花束を示す斜視図である。
【図４】(Ａ)および(Ｂ)は本発明の他の実施の形態である供給物容器の一部を示す断面図である。
【図５】本発明の他の実施の形態である供給物容器を示す断面図である。
【図６】(Ａ)および(Ｂ)はアレンジメントに供給物容器を添えた状態を示す斜視図である。
【図７】(Ａ)は本発明の他の実施の形態である供給物容器を示す平面図であり、(Ｂ)は供給物容器を示す側面図である。
【符号の説明】
【００３５】
１０    薬剤容器(供給物容器)
１１    切花活性剤(花卉供給物，薬剤)
１２    収容部
１３    ロッド部
１４    貯留室
１５    吐出部
１６    吐出口
１７    雄ねじ
１８    雌ねじ
１９    包装スリーブ
２０    薬剤容器(供給物容器)
２１    収容部
２２    吐出口
２３    ロッド部
２５    薬剤容器(供給物容器)
２６    収容部
２７    ロッド部
２８    切り欠き
２９    吐出口
３０    薬剤容器(供給物容器)
３１    収容部
３２    ロッド部
３３    貯留室
３４    内部通路
４０    花器
４１    樹脂製発泡体
４５    薬剤容器(供給物容器)
４６    収容部
４７    外周部
Ｆ１    花束(花卉)
Ｆ２    アレンジメント(花卉)
【図１】
2006103766.tif 000003
【図２】
2006103766.tif 000004
【図３】
2006103766.tif 000005
【図４】
2006103766.tif 000006
【図５】
2006103766.tif 000007
【図６】
2006103766.tif 000008
【図７】
2006103766.tif 000009